【手続補正書】
【提出日】平成17年3月25日(2005.3.25)
【手続補正１】
【補正対象書類名】明細書
【補正対象項目名】特許請求の範囲
【補正方法】変更
【補正の内容】
【特許請求の範囲】
【請求項１】  第１および第２の再生モードを有し、媒体からデジタル符号化信号を再生する装置であって、
前記デジタル符号化信号に応動して、そこからピクチャを復号するデコーダと、
前記デコーダに結合されて前記特定のピクチャを格納するメモリと、
前記第１のモードでは前記ピクチャのトップフィールドおよびボトムフィールドを格納させ、第２のモードでは前記トップおよびボトムフィールドのうちのただ１つのフィールドを格納させる前記メモリ用のコントローラと
を備えることを特徴とする装置。
【請求項２】  媒体上に記録されたデジタル符号化信号を逆方向で再生する方法であって、前記デジタル符号化信号が複数のグループ・オブ・ピクチャを表し、前記複数のグループ・オブ・ピクチャの各グループが少なくとも１つのＩタイプ・ピクチャおよび少なくとも１つのＰタイプ・ピクチャを含み、
ａ）前記複数のグループ・オブ・ピクチャの第１のグループ・オブ・ピクチャから前記Ｉタイプ・ピクチャのフィールドを格納するステップと、
ｂ）前記複数のグループ・オブ・ピクチャの前記第１のグループ・オブ・ピクチャに先行する第２のグループ・オブ・ピクチャから復号されたＩタイプ・ピクチャのフィールドを格納するステップと、
ｃ）前記第１のグループ・オブ・ピクチャに先行する前記第２のグループ・オブ・ピクチャから復号された第１のＰタイプ・ピクチャのフィールドを格納するステップと、
ｄ）前記第１のグループ・オブ・ピクチャに先行する前記第２のグループ・オブ・ピクチャから第２のＰタイプ・ピクチャのフィールドを格納するステップと、
ｅ）前記第１のグループ・オブ・ピクチャに先行する前記第２のグループ・オブ・ピクチャから復元された第３のＰタイプ・ピクチャのフィールドを復号するステップと
を有することを特徴とする方法。
【請求項３】  媒体から再生されたデジタル符号化信号を処理する装置であって、
複数のブロック処理済みピクチャを表し、少なくとも１つのイントラコード化ピクチャおよび少なくとも１つの前方予測ピクチャを含む複数のグループ・オブ・ピクチャを表す前記デジタル符号化信号のソースと、
前記ソースに結合され、前記１つのイントラコード化ピクチャを復号するデコーダと、
前記デコーダに結合されて前記イントラコード化ピクチャを含む個別のブロックを処理することで前記個別のブロック内の空間周波数成分の値を決定する処理手段とを有し、
前記個別のブロック内の前記値がピクチャ・コンテンツを表すタイプにクラス分けされて、前記少なくとも１つの前方予測ピクチャを復号するためのプレディクタ（predictor）として選択することを特徴とする装置。
【請求項４】  媒体からのデジタル符号化信号を処理する装置であって、
デジタル符号化ブロック処理済みピクチャからなる複数のグループを表す前記デジタル符号化信号のソースであって、前記複数のグループのうちの１つのグループが、少なくとも１つのイントラコード化ピクチャおよび少なくとも１つの順方向予測ピクチャおよび動き補償データを含むソースと、
前記ソースに結合され、前記１つのイントラコード化ピクチャを復号するデコーダと、
前記デコーダに結合され、前記イントラコード化ピクチャの各ブロックを処理して、前記ブロック内で生じるデータで表されるピクチャ・タイプを複数のピクチャ・タイプから決定し、前記ブロック内に表された前記前記ピクチャ・タイプをストレージに結合させる処理手段と
を備えることを特徴とする装置。
【請求項５】  複数のグループのデジタル符号化されたピクチャを有するデジタル符号化信号を処理するための方法であって、前記複数のグループの各グループが、複数のブロックとして処理された少なくとも１つのイントラコード化ピクチャ、および少なくとも１つの順方向予測符号化ピクチャを含み、
ａ）前記１つのイントラコード化ピクチャを復号して格納するステップと、
ｂ）前記複数のブロックの各ブロックを処理して、その中で分類された空間周波数成分を導出するステップと、
ｃ）前記各ブロックの前記成分の大きさを複数のタイプのうちの１つのタイプとしてクラス分けするステップと、
ｄ）前記各ブロックに対して前記タイプをメモリに格納するステップと、
ｅ）前記１つの予測ピクチャを復号するステップと、
ｆ）前記１つの予測ピクチャにおいて現在復号している前記ブロックに対応するブロックとして格納されているブロック・タイプを、前記メモリから読み出すステップと、
ｇ）現在復号している前記ブロックの動きベクトルを変更して、前記メモリから読み出した前記格納されていたブロック・タイプに応動して予測（prediction）を変化させるステップと
を有することを特徴とする方法。
【請求項６】  媒体から複数のグループ・オブ・ピクチャを表すデジタル符号化信号を再生するための装置であって、前記複数のグループのうちの１つのグループが、１つのイントラコード化ピクチャおよび１つの予測符号化ピクチャを含み、
前記媒体に結合され、前記デジタル符号化信号を復号して前記イントラコード化ピクチャおよび前記予測符号化ピクチャを形成するデコーダと、
前記デコーダに結合され、前記イントラコード化ピクチャの第１のフィールドおよび第２のフィールドのうちのただ１つのフィールドを格納するメモリと、
前記デコーダおよび前記メモリに結合され、前記ただ１つのフィールドをもつ前記予測符号化ピクチャに対応する動きベクトルフィールド選択の一致に応動して前記予測符号化ピクチャの予測（prediction）を制御し、不一致に応動して前記ただ１つのフィールドから生じるよう予測を制御可能に変更する制御手段と
を備えることを特徴とする装置。
【請求項７】  媒体からデジタル符号化信号を再生するための装置であって、
少なくとも１つのイントラコード化ピクチャ・タイプおよび少なくとも１つの予測符号化ピクチャ・タイプおよび該２つのピクチャ・タイプのうちの１つのタイプである単一のフィールドを表している動き補償データを含むグループ・オブ・ピクチャの複数を表す前記デジタル符号化信号のソースと、
前記ソースに結合され、その２つのタイプのピクチャを復号するとともに前記少なくとも１つのイントラコード化ピクチャ・タイプの単一のフィールドを表す動き補償データに応動して前記少なくとも１つの予測符号化ピクチャ・タイプを復号するデコーダと
を備えることを特徴とする装置。
【請求項８】  デジタル符号化信号を処理するための装置であって、
複数のグループ・オブ・ピクチャを表す前記デジタル符号化信号のソースであって、前記複数のグループのうちの１つのグループが、少なくとも１つのＩタイプおよび少なくとも１つのＰタイプピクチャおよび動き補償データを含むシーケンスで配置され、前記動き補償データが前記１つのＰタイプピクチャを復号するための予測画像部分を示す、ソースと、
前記ソースに結合され、前記ＩタイプおよびＰタイプ・ピクチャを復号するとともに、前記Ｐタイプ・ピクチャの第１のモードの復号はピクチャである前記予測画像に応動し、前記１つのＰタイプ・ピクチャの第２のモードの復号はピクチャの単一のフィールドである前記予測画像に応動するデコーダと
を備えることを特徴とする装置。
【請求項９】  正方向および逆方向の再生のためにパケット化されたデジタル符号化画像を表す信号が記録されている記憶媒体であって、前記デジタル符号化信号は、
複数のグループ・オブ・ピクチャであって、前記複数のグループのうちの１つのグループが、少なくとも１つのイントラコード化ピクチャおよび１つの予測ピクチャを含み、
前記イントラコード化ピクチャおよび前記予測ピクチャが第１のフィールドおよび第２のフィールドを含む複数のグループ・オブ・ピクチャと、
前記予測ピクチャの構成に備えて前記イントラコード化ピクチャの前記フィールドのうちのただ１つのフィールドから導出される動きベクトルと
を含むことを特徴とする記憶媒体。